(57)【特許請求の範囲】
【請求項１】
肌当接面側に配置される液透過性の表面シート、非肌当接面側に配置される裏面シート、及び該両シートの間に配置される吸収体を有する吸収性物品であって、
前記吸収体には高坪量領域と、該高坪量領域より相対的に坪量が低い低坪量領域とを有しており、前記低坪量領域が前記高坪量領域を囲むようにして平面方向に配置され、前記高坪量領域が前記低坪量領域より相対的に高密度であり、
前記高坪度領域は吸収体の上部から底部に至るブロック状の突出吸収部を有し、前記低坪量領域は、吸収体の非肌当接面側で前記突出吸収部を囲むように平面方向に連接して配された凹部と、該凹部の肌当接面側で、かつ前記表面シート側に偏倚して配された、前記突出吸収部よりも厚みの薄い凹部吸収部とを有し、
前記表面シートは肌当接面側に形成された複数の畝状の突部を有しており、前記表面シートの平面視において該突部の間の窪みには、前記突部よりも繊維量の少ない部分又は前記表面シートの厚み方向に通ずる開孔部が形成されており、
前記表面シートにおける窪みに配された繊維量の少ない部分又は開孔部が、前記吸収性物品の排泄部対応領域において、前記吸収体の前記低坪量領域と厚み方向に一致している部分を有する吸収性物品。
【請求項２】
前記表面シートと前記吸収体とを表面シート側から圧搾して形成される防漏溝が少なくとも物品幅方向の左右両側縁寄りにあり、該防漏溝は、物品の長手方向に沿って前記吸収体の前記低坪量領域と前記高坪量領域に亘り配設されている請求項１に記載の吸収性物品。
【請求項３】
前記吸収体は吸水性ポリマーを有し、該吸水性ポリマーは、前記低坪量領域よりも前記高坪量領域に多く配される請求項１又は２に記載の吸収性物品。
【請求項４】
前記吸収体は吸水性ポリマーを有し、該吸水性ポリマーは、前記凹部の非肌当接面側に配されている請求項１〜３のいずれか１項に記載の吸収性物品。
【発明の詳細な説明】
【技術分野】
【０００１】
本発明は、生理用ナプキン、使い捨ておむつ、失禁パンツ等の吸収性物品に関する。
【背景技術】
【０００２】
生理用ナプキン等の吸収性物品においては、各部材の材料や構造を改良し、その機能や着用感の向上が図られてきた。吸収体についても、使用状況や物品の種類に応じた機能性のものが種々提案されている。
【０００３】
例えば、表面シート、裏面シート及び吸収体を有するナプキンにおいて、吸収体の裏面シート側から陥没する多数の圧縮部が点在するように配置されたものが開示されている（特許文献１参照）。該圧縮部と圧縮されていない非圧縮部とはゆるやかに厚みを変化させて連続した起伏をなし、非圧縮部から圧縮部へと高まる密度勾配が形成される。これにより、表面シートから吸収体に導かれた液が素早く引き込まれ、液体の十分な吸収保持量を実現しつつ、液戻り防止性やモレ防止性を良化することができる。また、縦方向に筋状に延びる高密度部と低密度部とが交互に区画された吸収体を有する吸収性物品が開示されている（特許文献２参照）。この吸収体により、吸収性物品は、液の縦方向への液拡散が促進され、液引き込み性が高まるとともに、幅方向からの圧力にも柔軟に変形可能とされる。
【先行技術文献】
【特許文献】
【０００４】
【特許文献１】特開２００６−５５３５２号公報
【特許文献２】特開２０１０−１３６８９９号公報
【発明の概要】
【発明が解決しようとする課題】
【０００５】
本発明は、前記の従来の吸収性物品の吸収性能をさらに高め、表面シートへの液残りや液戻りをより一層効果的に抑制することによりムレにくくし、さらに体液の排泄がいっきに多くあったときにすばやく対応可能であり、かつ着用者の身体にフィットし、その動きによく追随する柔軟性に優れる吸収性物品を提供することを課題とする。
【課題を解決するための手段】
【０００６】
本発明は、肌当接面側に配置される液透過性の表面シート、非肌当接面側に配置される裏面シート、及び該両シートの間に配置される吸収体を有する吸収性物品であって、前記吸収体には高坪量領域と、該高坪量領域より相対的に坪量が低い低坪量領域とを有しており、前記低坪量領域が前記高坪量領域を囲むようにして平面方向に配置され、前記表面シートは肌当接面側に形成された複数の畝状の突部を有しており、前記表面シートの平面視において該突部の間の窪みには繊維量の少ない部分又は前記表面シートの厚み方向に通ずる開孔が形成されている吸収性物品により上記課題を解決するものである。
【発明の効果】
【０００７】
本発明の吸収性物品は、体液の表面シートへの液残りや液戻りをより効果的に抑制し、ムレにくく、体液の排泄がいっきに多くあってもすばやく対応して、吸収性の即時の回復・保持が可能であるという優れた作用効果を奏する。
【図面の簡単な説明】
【０００８】
【図１】本発明における吸収性物品の一実施形態としての生理用ナプキンを肌当接面方向から示した一部切欠斜視図である。
【図２】図１に示すＩＩ−ＩＩ線断面である。
【図３】本実施形態の生理用ナプキンにおける表面シートの一部を拡大して一部断面により模式的に示す斜視図である。
【図４】本実施形態に係る吸収体のみを模式的に示す図であり、（Ａ）は吸収体をその肌当接面側からみた平面図であり、（Ｂ）は（Ａ）のＢ−Ｂ線断面図であり、（Ｃ）は吸収体をその非肌当接面側からみた平面図である。
【図５】図１に示す生理用ナプキンの所定の断面の一部を拡大して示した一部断面図である。
【図６】第１実施形態及び第２実施形態に係る吸収体の好ましい製造方法について、製造時におけるプレスロール加工前後の状態を概略化して示す工程説明図である。
【図７】（ａ−１）は回転ドラムの外周面にあるポケットを一部拡大して示す斜視図であり、（ａ−２）は回転ドラムのポケットに繊維材料が堆積した状態を示す断面図であり、（ｂ）は吸収体前駆体が回転ドラムからバキュームコンベアへ離型される様子を示す説明図であり、（ｃ）は加圧工程の説明図である。
【図８】堆積体（製造中間体）の一部を凸状部側から示す斜視図である。
【発明を実施するための形態】
【０００９】
図１は、本発明における吸収性物品の好ましい一実施形態としての生理用ナプキンを肌当接面方向から示した一部切欠斜視図であり、図２は図１に示すＩＩ−ＩＩ線断面である。図３は本実施形態の生理用ナプキンにおける表面シートの一部を拡大して一部断面により模式的に示す斜視図である。また、図４は本実施形態に係る吸収体のみを模式的に示す図であり、（Ａ）は吸収体をその肌当接面側からみた平面図であり、（Ｂ）は（Ａ）のＢ−Ｂ線断面図であり、（Ｃ）は吸収体をその非肌当接面側からみた平面図である。なお、これらの図において煩雑さを避けるため吸収体のコアラップシートを省略して示す。
【００１０】
まず本実施形態の上記生理用ナプキン１０の概要を説明する。
本実施形態の実施形態の生理用ナプキン１０は、図１に示すように、肌当接面側に配置される液透過性の表面シート１、非肌当接面側に配置される裏面シート２、及び該両シートの間に配置される吸収体３を備え、実質的に縦長の形状である。裏面シート２の肌当接面側に吸収体３が接着剤等で接合され配設されている。さらにその裏面シート２の肌当接面側における前記吸収体３の長手方向左右両側の外方ではサイドシート４が裏面シート２に当接して接合されている。その裏面シートとサイドシートとが当接した部分では表面シート１が裏面シート２とサイドシート４とで挟持され、さらにその幅方向（Ｘ方向）内方向に向け表面シート１が吸収体３よりも肌当接面側に位置されるように配されている。このように積層された前記の各シート部材が吸収体３の外方で吸収体３を介在させずにヒートシール等により接合され、ナプキン１０の外周縁部６を形成している。この外周縁部６は、全体的な伸縮性を阻害せず、一度吸収した液が漏れない程度に接合されている。サイドシート４の自由端４１には外周縁部６へ向うポケット（図示せず）が形成され、液等の横モレを防ぐ効果を有する。なお、本実施形態における生理用ナプキン１０の幅方向左右両側部には、サイドシート４を有してなるウイング部４２が生理用ナプキン１０の幅方向外方に向って延出し、この部分をショーツにおける股下部の非肌当接面側に巻き込んで生理用ナプキン１０をショーツに固定する。
【００１１】
生理用ナプキン１０の肌当接面側には、表面シート１の肌当接面側から吸収体３にかけて圧搾した防漏溝５が施されている。防漏溝５の平面視形状は、吸収体３の縦方向中央部分において、経血等の排泄部対応領域の幅方向左右両側に縦方向に長さを持つ圧搾部分が配置され、該左右それぞれの圧搾部分が吸収体３の前後端に近づくにつれ徐々に吸収体３の中央方向に向けて湾曲し、前端、後端が一致している。つまり、防漏溝５は、平面視において生理用ナプキン１０の長手方向の両側部においてその肌当接面側に配された２本の圧搾部分が前後方向に延びて無端環状に連続した形状である（図１参照）。このようにすることで、ナプキンを装着して使用する際の排泄液の横漏れを効果的に防止することができる。なお、排泄部対応領域とは経血もしくはおりもの等の体液の排泄を直接受ける部分及びその近傍である。また、本実施形態における防漏溝５の平面視形状は、前述の形状に限定されず、無端環状の前端、後端で互いに交差していてもよく、用途に合わせ適宜決められることが好ましい。
【００１２】
表面シート１、裏面シート２、サイドシート４、及び吸収体３の材料、一般的なサイズ等に関する詳細は後述する。本実施形態において表面シート１は、排泄された体液を速やかに吸収し、吸収体に受け渡す観点と、肌に対する触りのやさしさ観点から肌当接面側に繊維による突部を有した液透過性の不織布を用いている。また、裏面シート２としては、通気性を有した透湿性フィルムを単層で用いている。吸収体３としてはパルプ繊維等と吸収性ポリマーとを紙などのコアラップシート（図示せず）で被覆してなるものが好ましい。また、裏面シート２の非肌当接面側には、生理用ナプキン１０を着衣に固定するための粘着剤（図示せず）が塗布されている。該粘着剤によって、生理用ナプキン１０が使用者の着衣に接着固定される。本実施形態の生理用ナプキン１０は、その表面シート側を着用者の肌当接面側に向け、かつ、その縦方向を下腹部から臀部にかけて配し、その幅方向を左右の足をつなぐラインの方向に向けて配して着用する。
【００１３】
本発明においては、特に断らない限り、装着者の体に接触する側の面を肌側面ないし肌当接面あるいは表面といい、これと反対側の面を非肌面ないし非肌当接面あるいは裏面という。この２つの面において、肌側面に近い方ないしその延長方向を肌面側、肌当接面側又は表面側といい、非肌面に近い方ないしその延長方向を非肌面側、非肌当接面側又は裏面側という。装着時に着用者の前側に位置する方向を前方といいその端部を前端部とし、後側に位置する方向を後方といいその端部を後端部として説明する。吸収性物品の表面又は裏面の法線方向を厚み方向といいその量を厚さという。更に、吸収性物品の平面視において腹側部から股下部を亘り背側部に至る方向を長手方向又は縦方向といい、この縦方向と直交する方向を幅方向という。なお、前記縦方向は典型的には装着状態において装着者の体の前後方向と一致する。
【００１４】
本実施形態の生理用ナプキン１０において、表面シート１は肌当接面側に形成された複数の畝状の突部１１（以下、畝部１１ともいう。）を有している。該畝部１１は表面シート１の坪量の高い領域とされ、その間の窪みの部分が坪量の低く厚みの薄い窪み部１２とされている。畝部１１及び窪み部１２はそれぞれ長手方向（Ｙ方向）に延びており、かつ、前記２つの領域が交互に幅方向（Ｘ方向）に複数配されているのが好ましい（図２，３参照）。この畝部１１及び窪み部１２は、窪み部１２の部分で表面シート１の肌当接面側の構成繊維の量を少なくすることで形成されており、この畝部１１及び窪み部１２を含む表面シート１全体は継ぎ目のない一体構造をなしている。したがって、表面シート１は、その幅方向（Ｘ方向）断面でみたときに厚みが肌当接面側で周期的に変化する波形形状を有し、畝部１１と窪み部１２との間とは相対的な高低関係である（図２，３参照）。幅方向に隣り合う２つの畝部１１の頂部１１ａの間に位置する最も実質厚みの薄い部位及びその近傍が窪み部１２となる。畝部１１と窪み部１２との境界を定義するとすれば、畝部１１の頂部１１ａにおける見掛け厚みの略１／２の厚みの位置を畝部１１と窪み部１２との境界部とすることができる。表面シート１の畝部１１と窪み部１２とは、その繊維量が異なることで実質的な坪量が異なっている。畝部１１の坪量が窪み部１２よりも相対的に大きいことによって、肌当接面側に張り出した畝部１１は着用者の肌に当る部分として潰れにくく、かつ、柔軟に変形させることが可能となる。
【００１５】
さらに、窪み部１２の底部には、開孔部１３が長手方向に所定間隔で間欠的に多数配されているのが好ましい（図３参照）。開孔部１３は、図示のように長手方向に長さを持つ長方形状が好ましく、表面シート１の構成繊維がより分けられることにより形成できる。開孔部１３は、繊維の熱変形を利用した圧着によって形成されるものではなく、構成繊維の繊維間距離が維持されて剛性が高まることなく、変形に対する柔軟性及び形状復元性に優れているのが好ましい。また、開孔部１３では、繊維による通液抵抗が最も低い部分であるため、当然に液が透過し易く液残りを少なくすることができる。加えて、畝部１１の頂部１１ａから窪み部１２へ、さらに開孔部１３の端部へと繊維密度が高まる密度勾配があることが好ましい。これより、排泄液が頂部１１ａから開孔部１３へとさらに導かれ易くなる。また、低坪量の窪み部１２が隣接する高坪量の畝部１１の間で長手方向に配されていることから、液の長手方向の拡散を促し易く液の横漏れ防御にも効果的である。
なお本発明において、表面シートの開孔部１３は、通液抵抗が少なく液の透過が高められる機能をみたすものであれば、必ずしも表面シート１の肌当接面側から非肌当接面側に貫通した完全に繊維のない孔でなくてもよい。例えば開孔部１３として、繊維の圧搾等によって形成された窪み部１２の繊維量に比してさらに繊維量の低い部分であってもよく、貫通孔と繊維量の少なくされた部分とが混在するものであってもよい。
【００１６】
一方、本実施形態の生理用ナプキン１０における吸収体３は、高坪量領域の突出吸収部３３と、該高坪量領域より相対的に坪量が低い低坪量領域の凹部吸収部３４及び凹部３１とを有しており、前記低坪量領域が前記高坪量領域を囲むようにして平面方向に配置されている。吸収体３の構成について以下に詳述する。
吸収体３の非肌当接面側に幅方向に沿って延びる複数条の凹部３１があり、前記吸収体３の凹部３１がさらに吸収体３の長手方向に沿っても形成されている。すなわち、前記吸収体３の非肌当接面側は凹部３１によって囲われた領域が突出吸収部３３として区画されて形成されている。本実施形態の突出吸収部３３は平面視において自然状態にて互いに対して所定の隙間ｓ，ｒ（図４参照）を有するように縦横方向に配設されている。本実施形態において突出吸収部３３は縦横に突出吸収部３３を投影したときに隣あう突出吸収部３３と一致する市松配列である。つまり、多数の突出吸収部３３を長手方向及び幅方向に投影したときにいずれの方向にもその投影像が重なる配置にされている。その他、適宜用途や機能に応じて配列を選択することができ、特に限定されないが、例えば千鳥状配列（上記投影像が長手方向及び／又は幅方向にみて略半ピッチずれのある配置）であってもよい。この突出吸収部３３は、平面視において長手方向に長い略長方形状であるが、本発明においてこの形状は特に限定されず任意の形状のものを採用可能である。本実施形態において突出吸収部３３はパルプ繊維と超吸収性ポリマーとから構成されており、その輪郭は図示したもののように定形的なものではなくてもよく、全体として上述した立体形状のものとされていることが好ましい。また、突出吸収部３３の縦横の配列も上記に限らず用途に合わせ適宜決められるのが好ましい。吸収体３を上述したように縦横の凹部３１によって区画されることにより、その部分において可撓部位となり、生理用ナプキン１０が肌面の起伏にフィットする「身体適合性」、及び着用者の動きにも良好に追随して肌に対する部分的な隙間の発生を防止する「動作追随性」が極めて高くなる。
【００１７】
本実施形態における吸収体３の凹部３１の肌面側には、吸収体３の一部として、突出吸収部３３よりも厚みの薄い領域である凹部吸収部３４が配されている。突出吸収部３３が配される吸収体３の領域Ｐ（図２）に比し、凹部吸収部３４が配される吸収体の領域Ｑ（図２）の坪量は小さい。また、吸収体３の詳細な製造方法は後述するが、本実施形態における突出吸収部３３は凹部吸収部３４より相対的に高密度であるのが好ましい。すなわち、本実施形態の吸収体３は高坪量で高密度な突出吸収部３３と該高坪量で高密度な突出吸収部３３より相対的に低坪量で低密度な凹部吸収部３４とからなり、前記高坪量で高密度な突出吸収部３３は前記低坪量で低密度な凹部吸収部３４に平面視において囲われて区画されて形成されているのが好ましい。なお、凹部吸収部３４と突出吸収部３３の肌当接面側の部分とが平面方向に連なって吸収体３の肌当接面側の薄皮状部を形成している。凹部吸収部３４や突出吸収部３３を含む吸収体３全体は継ぎ目のない一体構造である。
【００１８】
本実施形態の吸収体３は、凹部吸収部３４では繊維の密度が低く、かつ、厚みが薄いことで坪量が低いことにより液の通液抵抗が低くなる。換言すると吸収体３の肌当接面側に到達した液は、表面シート１の非肌側面と厚み方向に隣接し吸収体３の肌面側で薄皮状部をなす、通液抵抗が低い凹部吸収部３４から優先的に吸収されるということである。したがって、本実施形態の生理用ナプキン１０おいては、表面シート１の窪み部１２、特に開孔部１３からこれに厚み方向に隣接する凹部吸収部３４へ繋がる導液路が形成されている。この表面シート１と吸収体３とが連携した導液路によって、液の有する排泄時の勢い（運動エネルギー）や位置エネルギーを保持したまま、液が素早く透過され、表面シートの肌面に液残りが生じにくい。吸収体３においては、凹部吸収部３４が表面シート１からの液をすばやく吸収体３内部に引き込むチャンバーの作用を奏する。凹部吸収部３４を通過した液は、凹部吸収部３４と突出吸収部３３との繊維の密度の勾配（ないしは密度差）によって生じる毛管力によって突出吸収部３３へと素早く取り込まれ厚み方向に引き込まれて保持される。一方、経血等などの高粘性の液が一度に多量に排泄されたり繰り返し排泄されたりした場合に、一度に突出吸収部３３で吸収保持できなくとも、凹部吸収部３４が素早く引き込んで凹部３１が一時的に液を保持する緩衝作用を果たし、高密度部分と低密度部分の境界領域では液を留め置かないように働く拡散作用をも果たす。しかも、前述のとおり、吸収体３の非肌当接面側で凹部３１が連接されていることによって、表面シート１よりも遠い位置で液を移動させて各突出吸収部３３で確実に吸収保持させることができる。このように凹部吸収部３４と凹部３１とからなる通液構造によって、液が表面シート１側から吸収体３内部に素早く取り込まれて突出吸収部３３で確実に吸収保持され得る。こうして吸収体３の肌当接面側での液残りが抑制され、かつ吸収体３内部から表面シート１への液戻りが生じ難い。
【００１９】
表面シート１と吸収体３との液の引き渡しを毛管力の関係から見れば、表面シートに接する吸収体の面は低密度よりより高密度であるほど吸収力・保持力が強く、多量の液を吸収するのに好適と考えられる。しかし高密度だけでは一気に多量の体液が排泄されたときは、吸収体の吸収速度が体液の排泄速度に追いつかないため、液戻りが発生するのが避けられない。本実施形態では表面シート１の肌当接面側に複数の畝部１１とその間の窪み部１２を設けることにより、前記の多量の液は表面シート１上の遠くまでほぼ全体に素早く行き渡り平均化される。同時に、液は、窪み部１２の開孔部１３から非肌当接側方向に引き渡されて、表面シート１から吸収体３の凹部吸収部３４へと通液抵抗なく透過される。凹部吸収部３４に至った液は、その後直ちに突出吸収部に吸収・保持される。このように表面シート１の構成と吸収体３の構成との相互作用で生理用ナプキン１０は、液残り及び液戻りの防止、ドライ感の良化、着用者の肌触りのよさを実現できることとなる。
【００２０】
また、凹部吸収部３４と凹部３１とからなる通液構造によって、ナプキン１０への着座時等にかかる厚み方向への圧力があったとしても、経血等の排泄液が表面シート１側へ液戻りしにくくなる。このことは、凹部吸収部３４が液を保持することなく素早く凹部３１へ引き込むこと、繊維密度の高い突出吸収部３３の液保持性が高いこと、凹部３１を有する貯蔵構造で吸収体３の非肌当接面側でも液を移動させて突出吸収部３３に吸収保持させるので凹部３１自体の貯蔵量も多くならないことなどの複数の作用により生じる。また、凹部吸収部３４の存在で凹部３１にかかる圧力が和らげられるとともに、この圧力で凹部３１での液の移動が促されることも要因のひとつと考えられる。このように吸収体３の表面シート１側に液を残さずに凹部３１に素早く引き込むことで、厚み方向の圧力においても液の表面シート１側への戻りが効果的に抑制され、ドライ感が高められる。
【００２１】
ここで本実施形態の生理用ナプキン１０における上述した区画された吸収体３と表面シート１との動的相互作用の特徴を図５に基づき詳しく説明する。図５は図１に示す生理用ナプキンの所定の断面の一部を拡大して示した一部断面図である。なお、図の煩雑化を避け、裏面シート２及びサイドシート４は示しておらず、表面シート１の形状については模式化して示しており、本発明の実施において必ずしも図示した形状と同一の形状のものに限定されない。
【００２２】
本実施形態の生理用ナプキン１０は上述した開孔部１３と凹部吸収部３４とが排泄部対応領域を含む平面視における幅方向の中心位置において厚み方向に略一致して配されている（図５参照）。このような配置にされた生理用ナプキン１０に身体から排泄液ａ１が排泄されると、表面シート１の窪み部１２においては、畝部１１に対し繊維量が相対的に少ない分、液の通液抵抗が低く、排泄液を素早く吸収体３側へ引き込むことができる。また、開孔部１３においては当然に液が通液し易い。したがって、畝部１１の頂部１１ａから窪み部１２へは繊維密度の勾配による液の移行がなされ、窪み部１２に集まった液は開孔部１３によって吸収体３側への液の移行がなされる通液路が形成されることとなる。つまり、少ない液量であっても吸収体３へと導かれることとなり効果的に吸収体３側へと透過される。また、吸収体３の肌当接面側が平坦な形状であることで、表面シート１と吸収体３とが接触しやすく、表面シート１を通過した排泄液ａ１が吸収体３に広い範囲で導かれやすい。一方、吸収体３は、前述のとおり、非肌当接面側に複数の凹部３１を有して、その肌当接面側には凹部吸収部３４が配されている。排泄された液ａ１は通液抵抗が低い凹部吸収部３４をチャンバーとして素早く吸収体３の厚み方向に向かって透過される。そして吸収体３の厚み方向に移行してきた排泄液ａ１は、その一部が周辺の突出吸収部３３へ向かう移行液ａ２となり、他の一部が凹部３１に取り込まれる貯蔵液ａ３となる。このように、表面シート１から透過される液が凹部吸収部３４で引き込まれ、ａ２やａ３へと分散されることで、吸収体の表面側での保持量を減少させ通液抵抗が更に低くなることとなる。これにより表面シート１への液戻りも効果的に抑制され得る。
【００２３】
このように本実施形態における生理用ナプキン１０は、厚み方向への液の高い透過性を有した表面シート１の性能を、吸収体３の厚み方向への液の高い透過性によって十分に発揮させることができ、これにより取り込んだ水分の肌への液戻りを抑え、好適なドライ感を使用者に与える効果を奏する。なお、表面シート１の開孔部１３と吸収体３の凹部吸収部３４との厚み方向における位置関係においては本発明の実施において必ずしも一致しなくてもよい。
【００２４】
また、本実施形態の吸収体３内部には吸水性ポリマーが存在することが好ましい。上述した液戻りをより効果的に抑制するため、該吸水性ポリマーは、凹部吸収部３４よりも突出吸収部３３の部分に多く偏倚して配されるのが好ましく、凹部吸収部３４に配されずに突出吸収部３３においてその非肌面側に多く偏倚して配されることがさらに好ましい。また、凹部３１の非肌面側に吸水性ポリマーを配することも同様の観点から好ましい。
さらに本実施形態の吸収体３において、凹部３１を有する通液構造が防漏溝５の幅方向外方の部分にまで延在して配設されることが好ましい。この配置によって、製品の幅方向を軸とした製品曲げ剛性が低減され、股間から臀部にかけて着用者の身体のカーブに合わせて変形しやすくなるとともに、横漏れを起こし易い吸収体３両側部にも可撓性を付与し、着用者の股下にフィットさせることができ、着用者の体の動きにも追従して隙間が生じるのを防ぐことができる。
【００２５】
本実施形態の生理用ナプキン１０において、その排泄部対応領域の幅方向両端にある防漏溝５の溝部分は、その位置において吸収体３の複数の突出吸収部３３と凹部吸収部３４とを物品縦方向（Ｙ方向）に亘って配設されることが好ましい。こうすることでナプキン１０装着時に、着用者の足の付け付近において、突出吸収部３４同士のせん断による形状崩れが防止され、幅方向からの液漏れを抑え得る。また、ナプキン１０装着時に防漏溝５が折れ曲がり部となって着用者の体にフィットさせ易く、吸収体３の幅方向中央部分の突出吸収部３３へ不要な負荷が掛かり難くなる。その結果、幅方向中央部分の液を多く保持する突出吸収部３３の形状が崩れ難く液漏れがさらに防止され得る。また、凹部３１が条溝７の幅方向外方の部分にまで延在して配されることが好ましい。この配置によって、製品の幅方向を軸とした製品曲げ剛性が低減され、股間から臀部にかけて着用者の身体のカーブに合わせて変形しやすくなるとともに、横漏れを起こし易い吸収体３両側部にも可撓性を付与し、着用者の股下にフィットさせることができ、着用者の体の動きにも追従して隙間が生じるのを防ぐことができる。
防漏溝５の溝部分は、表面シート１と吸収体３とを張り合わせた後、表面シート１側から表面シート１と吸収体３とを圧縮して形成される。従って、防漏溝５はその周辺部と比較して風合いが硬くならず着用者に違和感を与えないよう、少なくともその一部が表面シート１の窪み部１２と重なることが好ましい。この配置により、肌は表面シート１の畝部１１に積極的に当たるため、風合いの硬い窪み部１２と肌が直接当たることを防ぐことができ、着用者に良好な装着感を与えることができる。
【００２６】
本実施形態における畝部１１の見かけ厚みは、表面シート１の肌触りを良好にするために、０．１〜５．０ｍｍが好ましく、０．３〜３．０ｍｍがさらに好ましい。表面シート１の肌面側で見たときの畝部１１と窪み部１２との高低差は表面シート１のクッション性及び通気性を高め更に液の拡散を制御するために、０．２〜４．０ｍｍが好ましく、０．２〜２．０ｍｍがさらに好ましい。
【００２７】
本実施形態における突出吸収部３３及び凹部３１の大きさ及び形状は特に限定されず使用する吸収性物品の用途によっても多少異なるが、突出吸収部３３の長手方向長さｋ１（図４参照）は、凹部を基軸に吸収体が徐々に肌当接面へ向かって湾曲し、着用者の身体の形状に沿って変形することを促すという観点から１０〜３０ｍｍが好ましく、１５〜２５ｍｍがより好ましい。その幅方向長さｋ２は、凹部３１が着用中に吸収体に加わる幅方向からの圧縮力を緩和する観点から５〜２０ｍｍが好ましく、７〜１５ｍｍがより好ましい。また、凹部３１の長手方向長さｓは１〜５ｍｍが好ましく、１〜３ｍｍがより好ましい。幅方向長さｒは１〜５ｍｍが好ましく、１〜３ｍｍがより好ましい。
【００２８】
また、上述したように凹部吸収部３４が液の保持量を抑えて液を素早く凹部３１へ移動させ、凹部３１が排泄液の一時貯蔵の機能を有して表面シート１側へ液を逆戻りさせないために、凹部３１の深さ（ｈ2）の吸収体３の厚み（突出吸収部３３の厚み）（ｈ1）に対する割合（％）（図２参照）は、２０〜８０％であることが好ましく、３０〜７０％であることがさらに好ましい。上記下限以上とすることで、表面シートへの液残りや液戻りをより効果的に抑制することができ、上限以下とすることで表面シートより受け取った液を広げすぎずに突出吸収部３３へと移動させることができる。同様の理由から、凹部吸収部３４及び凹部３１を有する領域Ｑ（図２参照）の構成材料坪量（ｗ１）は、１０〜１５０ｇ/ｍ２であることが好ましく、２０〜１４０ｇ/ｍ２であることがさらに好ましい。突出吸収部３３を有する領域Ｐ（図２参照）の坪量（ｗ２）は、１６０〜４００ｇ/ｍ２であることが好ましく、２００〜３５０ｇ/ｍ２であることがさらに好ましい。さらに、両者の坪量比（ｗ１／ｗ２）は、０．０１〜０．９０であることが好ましく、０．１０〜０．７０であることがさらに好ましい。
【００２９】
本発明において、凹部３１は、吸収体３の底部から肌当接面側に窪んで空隙となる部分である。凹部吸収部３４とは厚み方向においては凹部３１の上部に位置する吸収体３の領域であって、平面視においては幅方向においてｒ、長手方向においてｓの領域である（図４参照）。突出吸収部３３は、厚み方向に並ぶ凹部３１及び凹部吸収部３４の領域Ｑに隣接し、領域Ｑに囲まれる吸収体の上部から底部までの領域Ｐの図中２点鎖線で示した部分である（図２及び図５参照）。なお、図中に示した凹部吸収部３４、及び突出吸収部３３のそれぞれの領域は実際的には図示したように区画されている必要はなく、その範囲は使用する目的によって適宜決められることが好ましい。
【００３０】
上述した凹部吸収部３４の厚み（ｈ３）、及び突出吸収部３３の厚み（ｈ１）の測定は、大きさ３７ｍｍ×３７ｍｍ、厚み３ｍｍのアクリルプレートを吸収性コア１０上に置き、ＫＥＹＥＮＣＥ社製非接触式レーザー変位計（レーザーヘッドＬＫ−Ｇ３０、変位計ＬＫ−ＧＤ５００）を用い上部３３ａを含む突出吸収部３３の厚み（ｈ１）を計測し、凹部吸収部３４の厚み（ｈ３）を吸収体の図２相当の断面をＫＥＹＥＮＣＥ社製マイクロスコープＶＨＸ−１０００を用いることで計測した。
また凹部吸収部３４の坪量（ｗ１）と突出吸収部３３の坪量（ｗ２）の測定方法は、ＦＥＡＴＨＥＲ社製カミソリ（フェザー剃刃Ｓ片刃）を押し当てて、凹部の凹部吸収部３４を切り出して重量計測して切り出した部分の面積で除すことで算出し、同様に上部３３ａを含む突出吸収部３３を切り出して重量計測して切り出した部分の面積で除すことで坪量を算出した。
【００３１】
畝部１１及び窪み部１２の厚みや高低差は、マイクロスコープＶＨ−８０００（キーエンス社製）を用い、表面シート１の断面を５０〜２００倍に拡大観察して測定する。断面はフェザー剃刀（品番ＦＡＳ−１０、フェザー安全剃刀（株）社製）を用い、表面シート１の断面を切断して得ることができる。
【００３２】
本実施形態における表面シート１は、排泄された体液を速やかに吸収し、吸収体に伝達する観点と肌触りのよさの観点とから親水性のサーマルボンド不織布が好ましく、特にエアスルー不織布が好ましい。表面シート１は親水化処理された熱可塑性樹脂繊維であり、かつ、該繊維が２次クリンプ又は３次クリンプのような立体捲縮がなされた繊維であることが好ましい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、当業者公知の親水化剤による親水化処理を用いることができる。このような本実施形態の表面シート１は、例えば、特開２０１０−１０６４３０号に記載の流体を吹き付けて繊維をより分ける流体交絡法を用いて製造することができる。
【００３３】
本発明において、開孔部１３は種々の形状を採用できその配置数や長手方向の配置間隔も任意に設定可能である。例えば、その形状として菱形、四角、三角、楕円でもよく、ハート形状などの図柄であってもよい。開孔部１３は完全な穴ではなく極端に繊維量の少ない部分であってもよく、窪み部１２が開孔部１３を有さない構成であってもよい。畝部１１については、長手方向に連続した形状であるが、複数個に分断されて小さな畝ブロックが長手方向に間欠的に配される形状であってもよい。この場合、幅方向の可撓性がより高められるので使用時のフィット性や個装時の折れ曲がり易さの観点から好ましい。本発明において、畝部１１と窪み部１２の形状は、上述の形態のほか、例えば、非肌当接面側にも畝と窪みとが交互に配される形状や非肌当接面側が肌当接面側に併せて起伏を有する形状であってもよい。表面シート１は、１層からなるものに限らず、上述の畝部１１と窪み部１２とを有するシートを上層とし、下層に別シートを配するなど２層以上の多層構造であってもよい。この場合、吸収した液を肌に戻さないことを考慮して、少なくとも下層の部分を排泄部対応領域に配することが好ましい。２層構造である場合（図示せず）、液の引き込み性から上層に比べ下層の毛管勾配を高めることが好ましい。毛管勾配を高める方法としては、例えば上層よりも下層の繊維の繊維径を小さくする方法が挙げられる。この場合、上層の繊維を２．０〜１０.０ｄｔｅｘとし、下層の繊維を１．０〜８．０ｄｔｅｘとすることが好ましい。また上層よりも下層の親水性を高めることでも毛管勾配を高めることができる。あるいはこれらの両方の手段を採用してもよい。
【００３４】
サイドシート４は撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）不織布等が用いられる。
【００３５】
次に、本実施形態で用いられる吸収体３の好ましい製造方法について図６〜８を参照して説明する。なお、吸収体３の形状、凹部３１及び突出吸収部３３の数や形状、配置等は模式化して図示している。
図６は、生理用ナプキン1０の吸収体３の製造に好ましく用いられる吸収体の製造装置６０を示す図である。製造装置６０は、外周面に複数のポケット９(堆積部)がます目状に区切られた積繊プレートを有する回転ドラム６２（図７（ａ−１）参照）と、回転ドラム６２の外周面に向けて、繊維材料Ｓを飛散状態にて供給するダクト６３と、ダクト６３に繊維材料Ｓを供給する繊維材料供給部６４と、ポケット９にあふれるように堆積させた過剰量の繊維材料を掻き取るスカッフィングロール６５と、ポケット９から離型した堆積体(吸収体前駆体)７０の上下面をコアラップシート３ｂで被覆する被覆機構(図示せず)と、吸収体前駆体７０をコアラップシート３ｂで被覆して得られる吸収体連続体を、一対のプレスロール６６ａ,６６ｂ間で加圧して圧縮する圧縮装置６６と、圧縮後の吸収体連続体を、個々の生理用ナプキンに使用される寸法に切断して加工後の吸収体３とする切断装置(図示せず)を備えている。
【００３６】
回転ドラム６２は、円筒状をなし、図８中の矢印Ａ方向に一定速度で回転駆動される。回転ドラム６２の内側(回転軸側)の非回転部分には、吸気ファン(図示せず)が接続されており、該吸気ファンの駆動により、回転ドラム内側の仕切られた空間Ｂ及びＥが負圧に維持される。外周面にある個々のポケット９の底面部には、メッシュプレートが配設され（図示せず）、多数の細孔を有している。個々のポケット９が、負圧に維持された空間Ｂ，Ｅ上を通過している間、各ポケット９の底面部の細孔が吸引孔として機能する。
【００３７】
ダクト６３は、回転ドラム６２の外周面の一部を覆う吹き出し端部６３ａと、繊維材料供給装置６４に接続された吹き込み端部６３ｂとを有しており、空間Ｂ上に位置するポケット９の底面部からの吸引により、ダクト６３内に、回転ドラム６２の外周面に向けて流れる空気流が生じさせるように構成されている。繊維材料供給部６４は、解繊機６４ｅを備えており、ラチス６４ｄにある原料Ｓ’が解繊機６４ｅで解繊され、解繊された繊維材料Ｓをダクト６３内に供給するように構成されている。
【００３８】
スカッフィングロール６５は、周囲にブラシを有しており、該ブラシにより、ポケット６２内からあふれた繊維材料Ｓを掻き取る。スカッフィングロール６５に掻き取られずポケット９内に残った堆積体(吸収体前駆体)７０は、回転ドラム６２の下方においてポケット９から離型される。ポケット９からの離型は、回転ドラム６２内の仕切られた空間Ｄを図示しない加圧手段により陽圧に維持して、ポケット９の底面部の細孔から空気を吹き出させると共に、バキュームコンベア６７側から吸引することにより行う。前記被覆機構は、バキュームコンベア６７上に、コアラップシート３ｂを供給する公知の搬送機構と、コアラップシート上に堆積体(吸収体前駆体)７０が載置された後に、該コアラップシートの両側部を、該堆積体(吸収体前駆体)７０上に折り返し、その折り返しにより、堆積体(吸収体前駆体)７０の上下両面をコアラップシート３ｂで被覆する機構とで構成されている。なお、図６において折り返しの工程の詳細は省略しており、折り返されたコアラップシート３ｂの状態も２本の線として単純に示している。
【００３９】
図６に示す吸収体の製造装置６０を用いて、上述した吸収体３を製造する方法について説明する。
まず、回転ドラム６２及びスカッフィングロール６５を回転させると共に、上記吸気ファン及び上記加圧手段を作動させて、空間Ｂ及びＥを負圧にし、空間Ｄを陽圧にする。また、バキュームコンベア６７、圧縮装置６６及び上記切断装置を作動させる。吸気ファンの作動により、空間Ｂ上に位置するポケット９の底面部に吸引力が生じると共に、ダクト６３内に、回転ドラム６２の外周面に向けて流れる空気流が生じる。そして、繊維材料供給装置６４を作動させて、ダクト６３内に繊維材料Ｓ（パルプ繊維４１及び高吸水性ポリマー４２）を供給すると、該繊維材料Ｓは、飛散状態となって、ダクト６３内を流れる空気流に載って、回転ドラム６２の外周面に向けて供給される。
【００４０】
個々のポケット９が、負圧に維持された空間Ｂ上を通過している間、ダクト６３から供給される繊維材料Ｓが各ポケット９に吸引されて堆積する（図７（ａ−１）及び（a−２）参照）。この点について図７（ａ−２）を参照して説明すると、回転ドラム６２の外周面にある積繊プレートにおいて、複数の仕切り９１をより分けてパルプ繊維と吸水性ポリマーとの混合物が積繊され、さらに仕切り９１の高さを超えて回転ドラム６２の高さいっぱいにまで積繊される。各ポケット９には、やや過剰量の繊維材料を堆積させ、ポケット９内からあふれる繊維材料がスカッフィングロール６５で掻き取られる。スカッフィングロール６５に掻き取られずポケット９内に残った堆積体(吸収体前駆体)７０は、バキュームコンベア６７上に供給されたコアラップシート３ｂ上に離型される（図７（ｂ）参照）。図８は、コアラップシート上に離型された(吸収体前駆体)７０を示す図であり、該堆積体(吸収体前駆体)７０には、ポケット９内の複数の溝部９ａに対応する複数の凸状部３３Ａが形成されている。吸収体前躯体７０のうち、仕切り９１の上に堆積した部分が吸収体３の凹部吸収部３４となり、仕切り９１が配されていた部分が吸収体３の凹部３１となる。
コアラップシート上の堆積体(吸収体前駆体)７０は、折り返されたコアラップシート３ｂの両側部により凸状部３３Ａを有する面も被覆された後、ベルトコンベアにより吸収体全躯体７０が反転し、の表裏が圧縮装置６に導入されて一対のプレスロール６６ａ，６６ｂ間で加圧される（図７（ｃ）参照）。これにより、凸状部３３Ａがつぶされて圧蜜化し、高密度な部分となる。凸状部３３Ａがつぶされた後の吸収体連続体は、図示しない切断手段で切断されて、個々の生理用ナプキンに使用される寸法の吸収体３となる。得られた吸収体３においては、吸収体全躯体７０の凸状部３３Ａを圧蜜化した部分が、高密度な高坪量部としてのブロック状の突出吸収部３３となる。
生理用ナプキン１０は、このようにして得られる吸収体３を、表面シート１の帯状原反と裏面シート２の帯状原反との間に間欠的に配置した後、吸収体３の周囲において、それらの表裏面シート間を接合し、次いで、個々の生理用ナプキンの寸法に切断することにより得られる。
【００４１】
以上、本発明の吸収体、その製造方法及び吸収性物品の一実施形態について説明したが、本発明は、上述した実施形態に制限されず、適宜変更することができる。
例えば、高密度部及び低密度部は、吸収体の長手方向の一部のみに形成されていても良い。例えば、吸収体の液排泄部対向部のみに形成されていても良く、前方部と液排泄部対向部のみに形成されていても良く、後方部と液排泄部対向部のみに形成されていても良い。
【００４２】
吸収体３の構成材料としては、特に制限はないが繊維材料、多孔質体、それらの組み合わせなどを用いることができる。繊維素材としては例えば、木材パルプ、コットン、麻などの天然繊維、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成繊維からなる繊維を用いる場合、該繊維は熱によって形状が変化する熱収縮繊維であってもよい。例えば、熱によって繊度は大きくなるが繊維長が短くなるものや、繊度はほとんど変化しないが、形状がコイル状に変化することでみかけの繊維の占有する長さが短くなるものであってもよい。多孔質体としては、スポンジ、不織不、高吸水性ポリマーの凝集物（高吸水性ポリマーと繊維とが凝集したもの）などを用いることができる。
【００４３】
裏面シート２は、透湿性フィルム単独、又はフィルムと不織布の貼り合わせ、撥水性の不織布（ＳＭＳやＳＭＭＳ等）を用いることができる。コスト面やズレ止め粘着剤とのマッチングなどから、透湿フィルム単独を防漏材として用いることが最も好ましい。この場合のフィルム材としては、熱可塑性樹脂と、これと相溶性のない無機フィラーを溶融混練して押し出したフィルムを所定の寸法に延伸して微細孔をあけたフィルム、または、本質的に水分の相溶性が高く、浸透膜のように水蒸気排出可能な無孔性のフィルムが挙げられる。本発明に関わる湿度排出の性能を十分に発現し、かつ、水分のにじみ出しがない防漏層を具現化するには、透湿度は、０．７〜３．０ｇ／１００ｃｍ２ｈｒの範囲にあることが好ましく、１．０〜２．５の範囲にあることが更に好ましい。さらっと感を十分に高める観点からは１．５〜２．５にあることが最も好ましい。また、フィルムの破れ等のトラブルなく使用可能であるためには、フィルム坪量は１８〜７０ｇ／ｍ２、より好ましくは２５〜６０ｇ／ｍ２である。また好ましい無機フィラー配合量は、フィルム全体の質量に対するフィラーの質量％として３０〜６５質量％、より好ましくは４０〜６０質量％である。
【００４４】
本発明の吸収物品は、上記の実施形態の生理用ナプキンに制限されるものではなく、この種の生理用ナプキン、例えば失禁パッド、失禁ライナ等に本発明を適応することができる。また、経血に限らずその他、尿、オリモノ、軟便等に対しても効果的である。また、表面シート１、吸収体３、裏面シート２及びサイドシート４の他にも用途や機能に合わせ適宜部材を組み込んでもよい。なお、上記実施形態の生理用ナプキンの表面シート１、吸収体３及び裏面シート２の材料、製法における条件や、製品の寸法諸言は特に限定されず、通常の生理用ナプキン等において用いられている各種材料を用いることができる。
【実施例】
【００４５】
以下に、本発明について実施例に基づきさらに詳細に説明するが、本発明がこれにより限定して解釈されるものではない。
【００４６】
[実施例１]
図１に示す構成の生理用ナプキンを常法に従って作製し、これを実施例１のサンプルとした。表面シート及び吸収体の製造方法の詳細は以下の通りである。
【００４７】
（１）表面シート（第１実施形態における表面シート）の製造
鞘成分ポリエチレン／芯成分ポリエステルの４．４ｄｔｅｘ×５１ｍｍ芯鞘構造繊維を用いて、上述した表面シートの製造方法に従って水蒸気流による不織布化を行い、前述の畝溝構造及び開孔を有する４０ｇ／ｍ2の表面シートを得た。得られた表面シートは、畝部の幅３ｍｍ、窪み部の幅２ｍｍ、厚み（畝部の頂部における見掛け厚み）１．２ｍｍであったが、該厚みについては、該表面シートを６０℃に加熱したプレスロール間に挿入して圧縮することで、０．７ｍｍに調整した。表面シートの窪み部は窪み部の幅と略同じ幅を有する楕円状の開孔を有しており、圧縮後の開孔率は８％であった。
【００４８】
（２）吸収体の製造
図６で示した製造装置を用いて、突出吸収部の坪量２００ｇ／ｍ2、凹部吸収部の坪量５２ｇ／ｍ２のパルプ繊維及び高吸水性ポリマーの積繊体を得た。この積繊体をコアラップシートで被覆し、一対のプレスロール間に通して、３．０ｋｇｆ／ｃｍ２の圧力で圧縮して吸収体を得た。この吸収体における、突出吸収部の平均密度（ｍ５）は、０．１２ｇ／ｃｍ３であり、凹部吸収部の平均密度（ｍ４）は、０．０８ｇ／ｃｍ３であった。高密度領域３８の平均坪量（ｗ２）は２４０ｇ／ｍ２であり、低密度領域３９の平均坪量（ｗ１）は１００ｇ／ｍ２であった。また、凹部吸収部３４の厚み（ｈ３）は１．２ｍｍであり、突出吸収部３３の厚み（ｈ１）は２．０ｍｍであった。突出吸収部３３の縦方向長さｋ１は２０ｍｍであり幅方向長さｋ２は１０ｍｍであり、凹部３１の縦方向長さｓは２．０ｍｍであり幅方向長さｒは１．０ｍｍであった。
【００４９】
[比較例１]
表面シートとして、下記に示すものを用いた以外は実施例１と同様にして生理用ナプキンを作製し、それを比較例１とした。
比較例１の表面シートとしては、鞘成分ポリエチレン／芯成分ポリエステルの４．４ｄｔｅｘ×５１ｍｍ芯鞘構造繊維を用いて、カード法によって坪量４０ｇ／ｍ2のカードウェブを製造した。このカードウェブに対して１３８℃±５℃の熱風をエアスルー方式で１０秒間通過させて、繊維間の交点を熱融着させることで不織布化した。得られた表面シートの厚みは１．２ｍｍであった。
【００５０】
[比較例２]
吸収体として、下記に示すものを用いた以外は実施例１と同様にして生理用ナプキンを作製し、それを比較例２とした。
比較例２の吸収体としては、吸収体に高坪量領域及び低坪量領域を設けず、坪量２００ｇ／ｍ２の吸収体パルプに対し、坪量を５０ｇ／ｍ２の吸水ポリマーを均一に混合した混合積繊体を得た。この積繊体を一対のプレスロール間に通して、３．０ｋｇｆ／ｃｍ２の圧力で圧縮して吸収体を得た。得られた吸収体の厚みは２．０ｍｍであった。
【００５１】
[性能評価]
実施例および比較例のサンプル（生理用ナプキン）について、表層液戻り量を下記方法により測定した。それらの結果を下記表１に示す。
【００５２】
＜表層液戻り量＞
表層液戻り量の測定方法を以下に説明する。この表層液戻り量とは、吸収体に吸収された液が加圧によってどれだけ表層（表面シート）側へ戻るかを示したものである。この量が少ないほど、吸収体の液保持性が高く、装着時のドライ感が得られ易い。
まず生理用ナプキンを水平に置いた。この生理用ナプキン上に、底部に直径１ｃｍの注入口がついた円筒つきアクリル板を重ねて、サンプルの排泄部対向領域（サンプルの長手方向前端から４０ｍｍの位置）に注入口から粘度を８．０±０．１ｃＰに調整した３ｇの脱繊維馬血を注入した。注入後、その状態を１分間保持した。次に、円筒つきアクリル板を取り除き、表面シートの表面上に、縦６ｃｍ×横９．５ｃｍで坪量１３ｇ／ｍ２の予め質量を測定しておいた吸収紙（市販のティッシュペーパー）を載せた。さらにその上に圧力が４．５×１０２Ｐａになるように錘を載せて５秒間加圧した。加圧後、吸収紙を取り出し、加圧前後の吸収紙の質量変化を測定し、吸収紙に吸収された脱繊維馬血の質量を表面液戻り量とした。
次いで、試験後のサンプルに再び上記のアクリル板を重ね、１回目の注入から３分後に再び注入口から３ｇの脱繊維馬血を追加して注入した。生理用ナプキンへの馬血の注入位置は、最初の３ｇを注入した位置と同じとした。そして、注入後１分間その状態を保持したままにした後、アクリル板を取り除き、前回と同様にして２回目の表面液戻り量を測定した。また、各々の液注入の際、液を注入してから全ての液を吸収するまでの時間（液吸収時間）を測定した。
上記の評価結果を下記表１に示す。
【００５３】
【表１】
0005792998.tif 000002
【００５４】
表１に示す結果から明らかなように、実施例１は、比較例１及び２に比べ、液の吸収速度が速く、表層液戻り量が少なく、液引き込み性に優れることが分かった。このように、液の保持性に優れ、着用者の肌に液を戻しにくいことから、ムレにくく、一度の排泄液量が多いときであっても、着用者に優れたドライ感を与えてより快適な着用感を提供することができる。
【符号の説明】
【００５５】
１  表面シート
１１  畝部（突部）
１２  窪み部
１３  開孔部
２  裏面シート
３  吸収体
３１  凹部
３３  突出吸収部
３４  凹部吸収部
４  サイドシート
５  防漏溝
１０  生理用ナプキン
【図１】
0005792998.tif 000003
【図２】
0005792998.tif 000004
【図３】
0005792998.tif 000005
【図４】
0005792998.tif 000006
【図５】
0005792998.tif 000007
【図６】
0005792998.tif 000008
【図７】
0005792998.tif 000009
【図８】
0005792998.tif 000010